(57)【特許請求の範囲】
【請求項１】
充填容量が１リットル以上の大型ボトル入り飲料水のベンディングマシンであって、冷却装置を有しないベンディングマシンを集合住宅に設置することを促進する装置であって、
画面を有する表示装置と、前記画面に表示するためのプログラム及び画像データが記憶された記憶手段と、前記プログラムを参照しつつ前記記憶手段に記憶された画像データを前記画面に表示させる制御手段と、前記表示装置に表示される画面の切り替えを要求する入力手段とにより構成され、
前記記憶手段において、前記ベンディングマシンが前記冷却装置を有しないことを画面に表示する手段、及び前記ベンディングマシンが災害時には貯水タンクの役割を担うことを画面に表示する手段を実行するためのプログラム、前記ベンディングマシンが前記冷却装置を有しないことを画面に表示するための第１の画像データ、並びに前記ベンディングマシンが災害時には貯水タンクの役割を担うことを画面に表示するための第２の画像データが記憶され、
前記制御手段は、
前記プログラムを参照しつつ前記記憶手段に記憶された前記第１の画像データを前記画面に表示させることで前記ベンディングマシンが前記冷却装置を有しないことを前記画面に表示する手段と、
前記第１の画像データの前記画面への表示後の前記入力手段への入力、又は前記第１の画像データの前記画面への表示後所定時間が経過したことを契機として、前記プログラムを参照しつつ前記記憶手段に記憶された前記第２の画像データを前記画面に表示させることで前記ベンディングマシンが、災害時には貯水タンクの役割を担うことを前記画面に表示する手段とを備える装置。
【請求項２】
前記装置が内部電源により駆動することが可能なノートパソコンであることを特徴とする請求項１に記載の装置。
【請求項３】
前記記憶手段において、前記ベンディングマシンを水質が悪い集合住宅に設置することで、前記大型ボトル入り飲料水の運搬の便宜に供することを前記画面に表示する手段を実行するためのプログラム、及び前記ベンディングマシンを水質が悪い集合住宅に設置することで、前記大型ボトル入り飲料水の運搬の便宜に供することを画面に表示するための第３の画像データが記憶され、
前記制御手段は、前記第２の画像データの前記画面への表示後の前記入力手段への入力、又は前記第２の画像データの前記画面への表示後所定時間が経過したことを契機として、前記プログラムを参照しつつ前記記憶手段に記憶された前記第３の画像データを前記画面に表示させることで、前記ベンディングマシンを水質が悪い集合住宅に設置することで、前記大型ボトル入り飲料水の運搬の便宜に供することを前記画面に表示する手段を備える、請求項１又は２のいずれかに記載の装置。
【請求項４】
前記記憶手段において、前記ベンディングマシンの提供会社において、前記ベンディングマシンの内部にストックされる大型ボトル入り飲料水の在庫を巡回又は監視していることを前記画面に表示する手段を実行するためのプログラム、及び前記ベンディングマシンの提供会社において、前記ベンディングマシンの内部にストックされる大型ボトル入り飲料水の在庫を巡回又は監視していることを前記画面に表示するための第４の画像データが記憶され、
前記制御手段は、前記第３の画像データの前記画面への表示後の前記入力手段への入力、又は前記第３の画像データの前記画面への表示後所定時間が経過したことを契機として、前記プログラムを参照しつつ前記記憶手段に記憶された前記第４の画像データを前記画面に表示させることで、前記ベンディングマシンの提供会社において、前記ベンディングマシンの内部にストックされる大型ボトル入り飲料水の在庫を巡回又は監視していることを前記画面に表示する手段を備える、請求項１から３のいずれかに記載の装置。
【請求項５】
請求項１から４の何れかに記載の装置と、前記ベンディングマシンとにより構成されるシステムであって、
前記ベンディングマシンの開閉扉を開閉するために前記ベンディングマシンの供給会社及び前記ベンディングマシンのユーザとの両方が所有する開閉扉部分の鍵と、前記ベンディングマシンの内部に収容された金庫を開閉するために前記ベンディングマシンの供給会社のみが所有する金庫鍵とを有するシステム。
【請求項６】
充填容量が１リットル以上の大型ボトル入り飲料水のベンディングマシンであって、冷却装置を有しないベンディングマシンを集合住宅に設置することを促進する情報をユーザ端末に送信するサーバであって、
前記ユーザ端末の画面に表示するための画像データが記憶された記憶手段と、前記サーバと前記ユーザ端末との間の通信手段と、この通信手段を介して、前記画像データを前記ユーザ端末に送信する制御手段とにより構成され、前記記憶手段において、前記ベンディングマシンが前記冷却装置を有しないことを前記画面に表示するための第１の画像データが記憶され、前記制御手段が前記通信手段を介して前記記憶手段に記憶された前記第１の画像データを前記ユーザ端末に送信することで、前記ベンディングマシンが前記冷却装置を有しないことを前記ユーザ端末の画面に表示させるための情報を前記ユーザ端末に送信する手段と、
前記記憶手段と前記制御手段とにより構成され、前記記憶手段において、前記第１の画像データの前記画面への表示後の前記画面の切替要求、又は前記第１の画像データの前記画面への表示後所定時間が経過したことを契機として、前記ベンディングマシンが災害時には貯水タンクの役割を担うことを前記画面に表示するための第２の画像データが記憶され、前記制御手段が前記通信手段を介して前記記憶手段に記憶された前記第２の画像データを前記ユーザ端末に送信することで、前記ベンディングマシンが、災害時には貯水タンクの役割を担うことを前記ユーザ端末の画面に表示させるための情報を前記ユーザ端末に送信する手段とを備えるサーバ。
【発明の詳細な説明】
【０００１】
【発明の属する技術分野】
この発明は、飲料水用ベンディングマシンの販売促進や、その飲料水用ベンディングマシンの設置メリットを効率的に判断するための経営的な判断支援情報提供システムに関する。
【０００２】
【従来の技術】
従来から広告やパンフレットの配布、又はマスコミやインターネット等の媒体を通じて、販売促進を図ることが一般的である。
【０００３】
しかも産業用の商取引形態においては、未だに「フェイス  トゥ  フェイス」で営業マンが相手先の購買担当者等の窓口の人に直接会って商談を纏めるために、その窓口の人の所属する企業等の経営メリットなどの判断材料を提供することが行なわれている。
【０００４】
特に、この発明が対象とする水ビジネスは、数十兆円市場と言われるほど拡大しており、スーバやコンビニエンスストアはもちろんの、宅配サービスやサーバーの設置など、あらゆる方法で消費者の手元に届けられるようになっている。
【０００５】
【発明が解決しようとする課題】
しかしながら、経営者側が水などのベンダーを設置する場合に、ユーザとなり得る人のニーズを的確に捉えて判断するための材料が欠乏しているといった問題がある。
【０００６】
このようなお客のニーズに基づく経営判断は、近年、リサーチ会社の繁栄から見ても市場ニーズが高まっていることは容易に理解できるものであるが、そのようなリサーチ結果に基づいた経営判断のチェック項目を画一的に提供出来得るようなツールは今のところ存在しないものであった。
【０００７】
そして、上述したような水ビジネスに関し、この発明の出願人の調査によると、図１に示すように、購買を阻害する要因となっているのは、まとめ買い時の運搬や保管場所の確保などが問題になっている。これは、水が商取引される場合には、その使用量が他の嗜好性飲料水に比べて大量であり、且つ安価であるために、大型の大型ボトル入り飲料水に収納されて取引されるのが一般的であることに起因するものであるが、これを小さい容器に収納して販売することになると、その使用量が他の飲料水との比較から大量に消費されるものであるから、流通形態として適していないことは明らかであるから、容器の大きさの変更は良策でない。
【０００８】
なお、図１の表１〜表４は、水がどのようにして購入されているかを示す表であり、表１は「ミネラルウォータを良く買いますか？」の質問に対する回答、表２は「ミネラルウォータを買う理由は何ですか？」の質問に対する回答、表３は「１度にどのくらいの量を買いますか？」の質問に対する回答、表４は「ミネラルウォータをどこで買いますか？」の質問に対する回答である。そして、Ａが「毎日買う」との回答をしたユーザ割合を示すグラフ、Ｂが「週に２〜３回」と回答をしたユーザ割合を示すグラフ、Ｃが「週に１回」と回答したグラフ、Ｄが「月に１〜２回」と回答したグラフ、Ｅが「その他」の回答をしたユーザ割合を示すグラフ、Ｆが「おいしいから」と回答したグラフ、Ｇが「安心できるから」と回答したグラフ、Ｈが「水道水はいやだから」と回答したグラフ、Ｉが「お茶やコーヒーがおいしいから」と回答したグラフ、Ｊが「ダイエットにいいから」と回答したグラフ、Ｋが「その他」と回答したグラフ、Ｌが「１本」と回答したグラフ、Ｍが「２〜３本」と回答したグラフ、Ｎが「４〜５本」と回答したグラフ、Ｏが「６本以上」と回答したグラフ、Ｐが「１ケース」と回答したグラフ、Ｑが「その他」と回答したグラフ、Ｒが「コンビニ」と回答したグラフ、Ｓが「スーパー」と回答したグラフ、Ｔが「酒販店」と回答したグラフ、Ｕが「自販機」と回答したグラフ、Ｖが「宅配」と回答したグラフ、Ｗが「その他」と回答したグラフである。
【０００９】
また、図１の表５及び６は、ユーザがどのような悩みを持っているかを示す表であり、表５は「持運びについてどう思いますか？」の質問に対する回答、表６は「宅配サービスを利用されないのはなぜですか？」との質問に対する回答である。そして、ａが「不便はない」との回答をしたユーザ割合を示すグラフ、ｂが「それほど感じていない」と回答したグラフ、ｃが「どちらとも言えない」との回答をしたユーザ割合を示すグラフ、ｄが「重いので少し感じる」と回答したグラフ、ｅが「重いのでかなり感じる」との回答をしたユーザ割合を示すグラフ、ｆが「その他」との回答をしたユーザ割合を示すグラフ、ｈが「留守にしているときが多いから」と回答をしたユーザ割合を示すグラフ、ｉが「価格が高いから」と回答をしたユーザ割合を示すグラフ、ｊが「水は買わないから」と回答をしたユーザ割合を示すグラフ、ｋが「保管場所に困るから」と回答をしたユーザ割合を示すグラフ、ｍが「契約支払いが面倒」と回答をしたユーザ割合を示すグラフ、ｎが「その他」と回答をしたユーザ割合を示すグラフである。
【００１０】
以上のような問題からこの発明者は、水などの飲料水を収納する大型ボトル入り飲料水のベンダーを需要者が居住する居住場所、例えば集合住宅のロビーなどに設置することが、上述する問題を解消するに最も適しているものと考えた。
【００１１】
しかしながら、このような飲料水収納したベンダーを需要者の居住する玄関先に設置した場合には、更に新たな問題が発生することにこの発明者は着目した。
【００１２】
すなわち、一般的なベンダーに設けられる冷却器のコンプレッサーの騒音の問題と電気代の費用的問題、玄関先に設置して邪魔にならないような大きさのベンダーにすること、並びに、大型ボトル入り飲料水の収納量をベンダーの大きさを制限しつつ確保する問題である。
【００１３】
そして、上述した複雑な問題をクリアしていることを如何に需要者に対してアピールでき得るかが上述したベンダーを設置してもらうための需要を促進する大きな鍵となると考えた。
【００１４】
さらに、近年、神戸大震災を初めとして天災が世界的にひろまっている中で、上述した集合住宅に対する耐震補強や建築士による耐震チェックが行なわれるようになってきており、集合住宅によっては非常食を管理組合で常備しているようなこところも存在している。
【００１５】
このような危機管理に対して、上述したようなベンダーが寄与できるようにすることも前記ベンダー及び当該ベンダー内に収納され販売される大型ボトル入り飲料水の拡販のための重要な要素となる点にもこの発明者は着目した。そして、そのような危機管理に対して如何に寄与でき得るかを、需要者個人や需要者としての管理組合などに正確にアピールすることが販売促進につながると考えた。
【００１６】
この発明は、上述したような問題に鑑み、前述した大型ボトル入り飲料水のベンダーを設置してもらう需要者及び需要者の管理者である例えば集合住宅の管理組合に、前記ベンダーの設置に留意したもらうための判断情報を効率的に提供し得る判断支援システムを提供することを目的とする。
【００１７】
【課題を解決するための手段】
以上のような問題に鑑みこの発明では、大型ボトル入り飲料水のベンディングマシンの導入を促すために、コンピュータにより利用可能なプログラムにより以下のチェック項目を表示可能な判断支援システムであって、予め前記チェック項目として、前記大型ボトル入り飲料水を冷却する冷却装置が存在しないことを示す内容を提示、及び、災害時には貯水タンク的な役割を担うことを示す内容の表示を行なう画像データを記憶してなり、前記プログラムは、前記「大型ボトル入り飲料水を冷却する冷却装置が存在しないことを示す内容」を表示し、次のチェック項目の要求入力或いは所定時間経過したことを契機として、次のチェック項目としての「災害時には貯水タンク的な役割を担うことを示す内容」を順次表示すること、又は、前記プログラムは、前記「災害時には貯水タンク的な役割を担うことを示す内容」を表示し、次のチェック項目の要求入力或いは所定時間経過したことを契機として、次のチェック項目としての「大型ボトル入り飲料水を冷却する冷却装置が存在しないことを示す内容」を順次表示すること、を制御内容を含むことを特徴とする判断支援システム。
【００１８】
この発明によれば、大型ボトル入り飲料水のベンディングマシンを玄関前や集合住宅のロビーなどに設置する場合に従来のベンダーが抱えていた問題を解消することができる。つまり、冷却器が存在しないことをアピールすることによって騒音が出ないこと、電気代の維持費が安価であること、並びに、災害時には常備の貯留タンク的な役割を担うこと、更には、従来の大型ボトル入り飲料水の購入に関して問題となっていた運搬の問題を一挙に解消できることをアピールすることが容易となる。前記チェック項目は、既述した図１に示すようなユーザである需要者のアンケート結果に基づくものであることが重要である。
【００１９】
請求項２の発明では、上記判断支援システムが内部電源により駆動することが可能なノートパソコンであることを特徴とする。
【００２０】
この発明によれば、判断支援システムがノートパソコンであるから、需要者である相手先の家又は集合住宅の管理組合まで出向いて、大型ボトル入り飲料水のベンダーを設置するための判断材料をどの担当者が説明しても同じような効率的な内容となるようにベンダー導入に関する判断を支援することができる。
【００２１】
請求項３の発明では、前記チェック項目として「水質が悪い集合住宅に対して、当該集合住宅内に飲料水供給用の自動販売機を設置して、運搬の便宜を図ることを示す内容」を表示する画像データを記憶し、前記「大型ボトル入り飲料水を冷却する冷却装置が存在しないことを示す内容」又は「災害時には貯水タンク的な役割を担うことを示す内容」を表示する前後で表示する制御を前記プログラムによって実行することを特徴とする。
【００２２】
この発明によれば、災害時における危機管理に寄与できることをユーザにアピールすることが可能となるから、管理組合などの集合住宅においては集会などの承認を得る場合の反対派に対する論理的な説明が可能となることから、集合住宅等における住居の近傍に前記大型ボトル入り飲料水のベンディングマシンの設置促進に寄与することが可能となる。
【００２３】
請求項４の発明では、前記チェック項目として「ベンディングマシン内にストックされる大型ボトル入り飲料水がエンプテイ（空）にならないような巡回システム又は監視システムが考慮されていることを示す内容」を表示する画像データを記憶し、前述したチェック項目の前後で表示する制御を前記プログラムによって実行することを特徴とする。
【００２４】
このように、ベンディングマシン内にストックされる大型ボトル入り飲料水がなくならないような巡回システム又は監視システムを導入し、そのベンディングマシンが災害時の貯留タンクとして機能するか否かのチェックを定期的に行うシステムが確率されていることをユーザにアピールすることによって、管理組合などの集合住宅においては集会などの承認を得る場合の反対派に対する論理的な説明が可能となることから、集合住宅等における住居の近傍に前記大型ボトル入り飲料水のベンデイングマシンの設置促進に寄与することが可能となる。また、この巡回システム又は監視システムでは、排ガスなどの公害の発生を通常の自動車に比べて低減したエコカーでベンディングマシン内の飲料水が充填された大型ボトル入り飲料水を補充することを、前記チェック項目としてアピールするようにして、より集合住宅における住人の理解を得やすくして販売促進に寄与し易くすることが可能となる。
【００２５】
請求項５の発明では、前記チェック項目の画像データと前記プログラムとは、広域ネットワークに接続して不特定多数のユーザ端末からアクセス可能なＷＥＢサーバ内に記憶され、前記ユーザ端末より前記ＷＥＢサーバにアクセスされることを条件に、前記プログラムによって前記チェック項目の画像データが順次に前記ＷＥＢ端末に送信され、当該ＷＥＢ端末の表示手段に表示可能としてなることを特徴とする。
【００２６】
この発明によれば、上述した大型ボトル入り飲料水のベンディングマシンの設置のための判断材料を不特定多数のユーザ予備群に対して、上述した発明と同様に「おいしい水は玄関でお求めください」をキャッチフレーズとした販売促進をより広く行うことが可能となる。
【００２７】
なお、上述した何れの発明によっても、住居の玄関先に大量の飲料水を複数の大型ボトル入り飲料水に充填したベンディングマシンを設置することを促すことができる結果、そのベンディングマシンの設置した戸数が増え、その設置された住居に居住するユーザにとっては、生活用に運搬の労力少なく購入することができる便利な環境を提供しつつ、災害時には災害時貯水タンクとしての機能を果たした社会設備環境の充実を促すことが可能となる。
【００２８】
請求項６の発明では、前記大型ボトル入り飲料水の充填容量が１リットル以上のものであることを特徴とする。
【００２９】
この発明によれば、運搬に対するより大きな問題を解消しつつ、容器の数による廃棄物処理の問題などを加味したチェック項目の優位性をより強調することが可能となる。
【００３０】
【発明の実施の形態】
以下、本発明に係わる判断支援システムを持ち運び可能なノートパソコンに適用した実施の形態について、図を参照しながら説明する。
【００３１】
図２に示すのは、この発明による判断支援システムにより大型ボトル入り飲料水がマンション等の集合住宅に設置された場合のビジネスモデルを図示したものである。
【００３２】
図において、符号１は飲料水の需要者としてのユーザであり、符号２は飲料水を充填した１リットル以上の大型ボトル入り飲料水を供給する大型ボトル入り飲料水のベンディングマシンの供給会社である。前記供給会社２からは、前記ベンディングマシン内の在庫大型ボトル入り飲料水を定期的な巡回及び監視を行うことにより、いざというときの災害時に飲料水の貯留タンクとしての役割を担わせるようにしている。前記ベンディングマシンは、この実施の形態では所謂自動販売機であって、コインセレクタを備えており、所定の金銭が投入されたことを条件として、その金額に応じた数の大型ボトル入り飲料水を排出することにより、無人での販売を可能にしたものである。
【００３３】
図に示すように、前記供給会社２は、大型ボトル入り飲料水の商品補充と、売上金の回収及びあきボトル（空の大型ボトル）の回収を行い、その回収した売上金の一部を需要者に還元するようにしている。需要者は還元された売上金の一部によって、そのベンディングマシンの電気代等のランニング費用を賄えるように配慮している。
【００３４】
前記需要者とはこの実施の形態では、マンション等の集合住宅の管理組合を想定しており、このような集合住宅の玄関ロビーに飲料水のベンディングマシンを設置することによって、非常時に当該ベンディングマシンの中の飲料水を無料で取り出せるようにして、非常時の貯留タンクとしての役割を担わせるため、このベンディングマシンでは金庫の鍵と、複数の大型ボトル入り飲料水の収納部分の開閉扉の鍵との２鍵からなるシステムを導入している。すなわち、前記ベンディングマシンの金庫部分の鍵と前記収納部分の開閉扉の鍵とを供給会社２が所持しておき、ユーザは前記収納部分の開閉扉の鍵のみを所持しておく。そして、災害等の非常時に緊急に飲料水が必要な場合には、前記ユーザが所有する収納部分の開閉扉の鍵を使って飲料水を非常用の飲料水として使用できるようにしている。
【００３５】
前記ユーザに対して前記収納部分の開閉扉の鍵を手渡しておくことによりトラブルが発生することも考えられるが、収納できる大型ボトル入り飲料水の数が約１００本であるため、金額にしても低額のものであること、玄関に設置されているので不正に預けた鍵を使ったとしてもその使用者が予め明らかになっているため大きな問題には発展しないことが容易に予測できる。このような予測から鍵をユーサ側に預けて、鍵を使うことによって非常時に無料で飲料水を得ることができ、常に少しづつ新しい大型ボトル入り飲料水と交換されて内部の飲料水が変質したりする前に消費させてしまうような循環を可能ならしめる。
【００３６】
次に、上述したようなビジネスモデルを、前記ベンディングマシンを設置してもらう管理組合などに説明するための判断支援情報提供システムであるノートパソコンについて図３及び図４に基づいて説明する。
【００３７】
符号５はノートパソコンであって、当該ノートパソコン５は大型ボトル入り飲料水のベンディングマシンの導入を促すために、コンピュータにより利用可能なプログラムにより以下のチェック項目を表示手段６に表示可能な判断支援システムである。
【００３８】
前記予め前記チェック項目として、「大型ボトル入り飲料水を冷却する冷却装置が存在しないことを示す内容」、「災害時には貯水タンク的な役割を担うことを示す内容」、「水質が悪い集合住宅に対して、当該集合住宅内に飲料水供給用の自動販売機を設置して、運搬の便宜を図ることを示す内容」、「ベンディングマシン内にストックされる大型ボトル入り飲料水がエンプテイにならないような巡回システム又は監視システムが考慮されていることを示す内容」、「大型ボトル入り飲料水の補給がエコカーにより行われることを示す内容」を表示手段６に表示するための画像データが記憶手段７及びプログラムが記憶されている。このようなチェック項目に相当する内容は、既述した図１のようなアンケート結果に基づいて作成されたものであることが客観性のある判断材料の提供としてより好適である。
【００３９】
前記記憶手段７には制御手段８が接続されており、当該制御手段は前記プログラムを参照しつつ前記記憶手段７内に記憶された画像データを順次に前記表示手段７に表示させる。
【００４０】
また、制御手段８には、そのノートパソコンの使用者が入力を行うためのキーボード及びマウスなどの入力手段９と、前記表示手段６及び外部電源を必要とせずに出先で場所を選ばずに使用できるようにしたバッテリー１０と、前記プログラムを立ち上げて画像データを順次に表示手段６に表示させる場合に、タイマ設定された所定時間の間、入力手段９からの入力が何らなされなかった場合に自動的に次の画像データが表示されるようにするために、前記所定時間をカウントするタイマー１１とが接続されている。
【００４１】
次に、図５のフロー図に基づいて、前記判断支援情報提供システムとしてのノートパソコン５の動作フローについて説明する。
【００４２】
まず、ノートパソコンの電源をオンにするとバッテリ１０の電源によって、制御手段８が記憶手段７内のプログラムを立ち上げて判断支援情報提供がスタートする（ステップＳ１）。
【００４３】
次に、初期画面として、「新しい暮らし、新しい「水」のソリューション！」とか「おいしい水は玄関でお求めください」とかの表題的な画像データ及び、既述した図１のアンケート結果を示す画像データを制御手段８の制御により表示手段６に表示する（ステップＳ２）。
【００４４】
その後、入力手段９の入力（例えば、リターンボタンの入力）があるか（ステップＳ３：Ｙ）、或いはタイマー１１によりカウントされる時間が予め定めた時間を経過したことを制御手段８が判定しタイムオーバーとなった場合には（ステップＳ４）、制御手段８の制御により「大型ボトル入り飲料水を冷却する冷却装置が存在しないことを示す内容」を示す画像データを記憶手段７から抽出して表示手段６に表示させる（ステップＳ５）。
【００４５】
そして、入力手段９の入力（例えば、リターンボタンの入力）があるか（ステップＳ６：Ｙ）、或いはタイマー１１によりカウントされる時間が予め定めた時間を経過したことを制御手段８が判定しタイムオーバーとなった場合には（ステップＳ７）、制御手段８の制御により「災害時には貯水タンク的な役割を担うことを示す内容」を示す画像データを記憶手段７から抽出して表示手段６に表示させる（ステップＳ８）。
【００４６】
さらに、入力手段９の入力（例えば、リターンボタンの入力）があるか（ステップＳ９：Ｙ）、或いはタイマー１１によりカウントされる時間が予め定めた時間を経過したことを制御手段８が判定しタイムオーバーとなった場合には（ステップＳ１０）、制御手段８の制御により「水質が悪い集合住宅に対して、当該集合住宅内に飲料水供給用の自動販売機を設置して、運搬の便宜を図ることを示す内容」を示す画像データを記憶手段７から抽出して表示手段６に表示させる（ステップＳ１１）。
【００４７】
続いて、入力手段９の入力（例えば、リターンボタンの入力）があるか（ステップＳ１２：Ｙ）、或いはタイマー１１によりカウントされる時間が予め定めた時間を経過したことを制御手段８が判定しタイムオーバーとなった場合には（ステップＳ１３）、制御手段８の制御により「ベンディングマシン内にストックされる大型ボトル入り飲料水がエンプテイにならないような巡回システム又は監視システムが考慮されていることを示す内容」を示す画像データを記憶手段７から抽出して表示手段６に表示させる（ステップＳ１４）。
【００４８】
さらに、入力手段９の入力（例えば、リターンボタンの入力）があるか（ステップＳ１５：Ｙ）、或いはタイマー１１によりカウントされる時間が予め定めた時間を経過したことを制御手段８が判定しタイムオーバーとなった場合には（ステップＳ１６）、制御手段８の制御により「大型ボトル入り飲料水の補給がエコカーにより行われることを示す内容」を示す画像データを記憶手段７から抽出して表示手段６に表示させる（ステップＳ１７）。
【００４９】
最後に、入力手段９の入力（例えば、リターンボタンの入力）があるか（ステップＳ１８：Ｙ）、或いはタイマー１１によりカウントされる時間が予め定めた時間を経過したことを制御手段８が判定しタイムオーバーとなった場合には（ステップＳ１９）、制御手段８の制御により終了される（ステップＳ２０）。
【００５０】
以上のようにして、アンケート結果に基づいて作成されたチェック項目が順次表示手段６に表示されるようになる。
【００５１】
前述した実施の形態では、ノートパソコン５によって、前記チェック項目を視覚的にユーザに対してアピールするようにしてが、図６に示すのは、前記チェック項目の画像データと前記プログラムとを広域ネットワーク４０に接続して不特定多数のユーザ端末２０からアクセス可能なＷＥＢサーバ内３０内の図示しない記憶手段に記憶され、ユーザ端末２０よりＷＥＢサーバ３０にアクセスされることを条件に、前記プログラムによって前記チェック項目の画像データが順次に前記ＷＥＢ端末２０に送信され、当該ＷＥＢ端末２０の表示手段２１に表示可能としてなるものであり、この発明の判断支援情報提供システムはこのようなネット環境に適用してユーザに対して大型ボトル入り飲料水のベンディングマシンの設置のための判断材料を広く提供することも可能である。なお、図６において図１乃至図５と同一符号を付した構成は既に述べた構成と同様の機能を有するものであり、繰り返しの説明を省略する。符号３１は、モデムなどの通信手段であって、この通信手段３１を介してＷＥＢサーバ３０の記憶手段８に記憶される前述した複数のチェック項目の画像データが、記憶手段７に記憶されたプログラム基づいて端末２０の表示手段２１に表示される。
【００５２】
【発明の効果】
以上のように説明したこの発明によれば、前記飲料水を充填した大型ボトル入り飲料水を収納し販売するベンディングマシンの設置促進のための効率的な判断材料をユーザに対して提供し、ひいては飲料水を充填した大型ボトル入り飲料水の販売促進や、当該大型ボトル入り飲料水を収納したベンディングマシンの設置台数の増大を図り、更に災害時の飲料水の確保を住居単位で常設させることを促すことが可能となる。
【図面の簡単な説明】
【図１】  ユーザに対するアンケート結果をグラフ化した説明図である。
【図２】  この発明に係わる判断支援システムにより大型ボトル入り飲料水がマンション等の集合住宅に設置された場合のビジネスモデルの概略流通図である。
【図３】  ノートパソコンの概観斜視図である。
【図４】  ノートパソコンのハードブロック図である。
【図５】  ノートパソコン５の動作フロー図である。
【図６】  この発明に係わる判断支援システムをネット環境に適用した概要構成図である。
【符号の説明】
６，２１  表示手段
７    記憶手段
８    制御手段
１０  バッテリー
２０  ユーザ端末
３０  ＷＥＢ端末
【図１】
0005068403.tif 000002
【図２】
0005068403.tif 000003
【図３】
0005068403.tif 000004
【図４】
0005068403.tif 000005
【図５】
0005068403.tif 000006
【図６】
0005068403.tif 000007